(57)【要約】  手術台（１）が、患者を上に載せる天板（２）と、天板を支持する支持部（３）と、天板の長軸（５）の方向において、各側部で天板に接続された２本のレール（４）と、支持部の各側部にあり、長軸に沿ってレールを摺動可能に受ける少なくとも１つのスライド手段（６）と、を有する。レールは、天板の各側部の２つの接続点（７ａ，７ｂ）で天板に接続されているか、または、レールは１つの接続点（７ａ）のみで天板に接続されていて天板の他端部が天板の各側部の対応する接続点（７ｂ）に結合可能なピンの上に載っている。【選択図】図５
2015512744.tif 000002
【特許請求の範囲】
【請求項１】
患者を上に載せる天板（２）と、前記天板を支持する支持部（３）と、前記天板の長軸（５）の方向において、各側部で前記天板に接続された２本のレール（４）と、前記支持部の各側部にあり、前記長軸に沿って前記レールを摺動可能に受ける少なくとも１つのスライド手段（６）と、を有する手術台（１）において、
前記レールは、前記天板の各側部の２つの接続点（７ａ，７ｂ）で前記天板に接続されているか、または、前記レールは１つの接続点（７ａ）のみで前記天板に接続されていて前記天板の他端部が前記天板の各側部の対応する接続点（７ｂ）に結合可能なピンの上に載っていることを特徴とする手術台。
【請求項２】
一方のレール（４）の第１の接続点（７ａ）は、前記支持部（３）と同じ端部に位置し、第２の接続点（７ｂ）は前記レール（４）の他端部に位置している、請求項１に記載の手術台（１）。
【請求項３】
一方の側部にある１つのレール（４）の第１の接続点（７ａ）は、前記長軸（５）に直角な仮想の軸に沿って、他方の側部にあるレール（４）の第１の接続点（７ａ）に揃えられている、請求項１に記載の手術台（１）。
【請求項４】
前記天板（２）は前記接続点（７ａ，７ｂ）を中心として回転可能に接続されている、請求項３に記載の手術台（１）。
【請求項５】
前記第１および第２の接続点（７ａ，７ｂ）のいずれか一方または両方がピンを有している、請求項３に記載の手術台（１）。
【請求項６】
前記第１の接続点は前記支持部（３）と同じ端部にあり、前記第２の接続点は前記第１の接続点から約０．５０ｍから約１．５０ｍ離れている、請求項１から５のいずれか１項に記載の手術台（１）。
【請求項７】
各レール（４）は、前記支持部（３）により支持されている前記天板の第１の端部（２ａ）で前記天板（２）に接続されている、請求項６に記載の手術台（１）。
【発明の詳細な説明】
【技術分野】
【０００１】
本発明は、概ね手術台に関し、特に、移動可能な天板を備えた手術台に関する。
【背景技術】
【０００２】
いくつかの手術台が公知であり、それらの多くは個々に移動可能であり、天板が垂直な軸および水平な軸に沿って移動可能である。多くの手術台では、天板は一端部において支持部に取り付けられており、天板の残りの部分はフリーな状態で突出している。この構造は、例えばモバイルＣアームの使用が必要なときに特に重要である。天板は、支持部のスライド内を通っている２本のサイドレールによって、長軸に沿って移動可能であってよい。サイドレールは天板の両側部に沿って取り付けられ、サイドレールの長さ方向に沿って連続的または断続的に取り付けられている。
【発明の概要】
【発明が解決しようとする課題】
【０００３】
これらの手術台に関する問題の一つは、天板上に人が乗っているとき、特にその人が重い場合に、天板が曲がることである。天板が曲がると、サイドレールには、そのレールを曲げる曲げ力も作用する。それにより、天板の移動中にレールを摺動可能に受けるスライド手段が、曲がったレールを摺動自在に受けることができず、引っかかるため、天板の移動が妨げられる。スライドにひっかかる危険性を克服するために、連結式のスライドが用いられるが、依然として抵抗がある。
【０００４】
このことは、特に、天板の長手方向への移動に対する抵抗と、要求された正確な位置に天板を位置させることの困難さとのために、使用者に対していくつかの問題を引き起こす。
【０００５】
本発明の目的は、天板を簡単かつ正確に位置決めでき、好ましくは天板を移動させるときに、浮いた状態のような感覚を与える手術台を提供することである。
【課題を解決するための手段】
【０００６】
本発明の大まかな態様によれば、手術台は、患者を上に載せる移動可能な天板を備えており、天板はその一端部において支持部によって支持されている。２本のレールが、天板の、その長軸方向の各側部にそれぞれ接続されている。レールはスライド手段を通って長軸に沿って摺動し、支持部の各側部にはレールを受ける少なくとも１つのスライド手段がある。レールは各側部の１つまたは２つの接続点で天板に接続されている。
【０００７】
１つの態様では、レールは、天板の各側部の２つの接続点（７ａ，７ｂ）で天板に接続されているか、または、一方の接続点（７ａ）のみで天板に接続され、天板の他端部（２ｂ）が、天板の各側部の対応する接続点（７ｂ）に結合可能なピンの上に載っている。
【０００８】
１つの態様では、天板は、支持部と同じ端部に位置する、１つのレールの第１の接続点と、そのレールの他端部の近傍に位置している第２の接続点とを有する。
【０００９】
他の態様では、各レールは、一方の接続点だけで天板に接続され、好ましくは、支持部によって支持されている天板の第１の端部で天板に接続されている。
【００１０】
他の態様では、天板は、一側部にある１つのレールの第１の接続点を有しており、その第１の接続点は、天板の長軸に直角な仮想の軸に沿って、他側部にあるレールの第１の接続点に揃えられている。
【００１１】
さらに他の態様では、天板は、接続点を中心として回転可能に接続され、それにより、天板から生じるレールへの曲げ力をより小さくしている。
【００１２】
１つの態様では、第１および第２の接続点のいずれか一方または両方がピンを有している。他の態様では、ピンは、受け入れホルダーまたは窪みの内側で回転可能であってもよい。
【００１３】
天板のさらに他の態様では、第１の接続点は支持部と同じ端部にあり、第２の接続点は第１の接続点から約０．５０ｍから約１．５０ｍ離れている。他の態様では、両接続点の間の距離は、負荷がかかった天板から生じる曲げ力を小さくするのに十分な長さであるが、接続点はレールの両端部に位置している。
【発明の効果】
【００１４】
本発明は、曲がった天板からレールに対する曲げ力が生じるのを抑え、それによってスライド手段を通るレールの摺動を容易にする解決策を提供する。このことは、非常に円滑に、長軸方向に移動して浮いた状態になることを可能にする。
【図面の簡単な説明】
【００１５】
【図１】負荷がかかっていない状態の手術台の側面図である。
【図２】図１の手術台の側面断面図である。
【図３】本発明の手術台の断面図である。
【図４】本発明の手術台の平面図である。
【図５】図１〜図４に示す手術台の、負荷がかかった状態の側面図である。
【図６】図１〜図５の手術台に類似しているが、天板の各側部の一点のみで天板が取り付けられている第２の実施形態の手術台の側面断面図である。
【発明を実施するための形態】
【００１６】
本発明を、添付の図面を参照しながら一例として説明する。
【００１７】
本発明を詳細に開示および説明する前に、本発明は、ここに開示される特定の材料または形状に限定されず、このような形状および材料を変更してもよいことを理解すべきである。また、本発明の範囲は添付の特許請求の範囲によってのみ限定されるので、ここで用いられる技術用語は特定の実施形態を説明するためだけに用いられ、限定する意図はないことを理解すべきである。
【００１８】
以下、本発明の実施形態を示す添付の図面を参照しながら、本発明をより詳細に説明する。しかし、本発明は多くの異なる形態で実施されてよく、ここに述べる実施形態に限定されるものとして解釈すべきでない。
【００１９】
図１および図２は手術台１の側面図を示しており、図１には複数の内部部品のうちのいくつかも示されている。手術台１は天板２を備えており、図１および図２には、患者の重さの影響を受けていない天板２が示されている。天板２は、２つの端部、つまり、支持部３によって支持されている第１の端部２ａと、例えば支持部３によって直接支持されていないフリーな第２の端部２ｂとを有する。図２を見ると、天板２の各側部でレール４が天板２に、１つまたは２つの接続点７ａ,７ｂにて接続されている。本実施形態は２つの接続点を有しており、第１の接続点７ａは、レール４の、天板２の支持されている第１の端部２ａと同じ端部にあり、第２の接続点７ｂは、レール４の、天板２のフリーな第２の端部２ｂに近い他の端部にある。レール４は、以下に記載するように、ピンによってレール４を天板２に接続できるように、事前に作製された穴の形態の接続手段を備えていてもよい。同様に、天板２は、レール４との接続で必要とされる、対応する所定の接続手段を備えている。本実施形態は、複数のピンでベッドに接続される、事前に作製された複数の穴を備えているレール４を示している。その接続部は固定されていてもよく、あるいは軸を中心として回転可能であってもよい。レール４は天板２の長さに部分的に沿って延びている。本実施形態では、手術台１は、支持部３の各側部の、天板２の長さに沿ってレール４を摺動可能に受ける２つのスライド手段６を有している。
【００２０】
少なくとも１つのクランプ部材またはロック部材（不図示）が、レール４の摺動を阻止し、それによって天板２を長手方向の所望の位置にロックするようになっている。
【００２１】
天板２の各側部のレール４は、接続点７におけるピンを中心とした自由な回転による天板２の曲がりの影響をあまり受けない。
【００２２】
図３は天板２のフリーな端部２ｂから見た手術台２の横断面を示している。少々Ｕ字形にされた天板２が支持部３により支持され、かつ各側部でレール４に接続されている。天板２の各側部のレール４は、天板２の長さに沿って、スライド手段６内を摺動するように移動可能である。各側部のレール４は、適合されたくぼみまたはナットが受け入れられた外表面から各接続点７内に挿入されるピンによって、天板２に接続されている。レールに加わる曲げ力をさらに小さくするために、ピンは各接続点７の内部で３６０度回転可能であってもよい。
【００２３】
図４は天板２の平面図を示し、天板２は、図面左側の支持されている端部２ａと、図面右側のフリーな端部２ｂとを有している。レール４は天板２の長さの一部分のみに沿って延びている。一方の接続点７ａはそれぞれのレール４の一端部を支持し、他方の接続点７ｂはそれぞれのレール４の他端部を支持している。各レール４の第２の接続点７ｂは、支持部３から曲げ力をより遠くに離れさせるのに十分長い距離の位置にある。この解決策は、第２の接続点７ｂを天板２のフリーな端部２ｂに接近させ、このことは、長さが短いと重い患者によって曲がりやすいことを意味している。各レール４の第１および第２の端部の接続点７ａ,７ｂは、天板２に沿って天板２の両側部における同一距離の位置に設けられている。このことは、天板２の支持されている第１の端部２ａにある複数の接続点７ａは、仮想の第１の軸８ａに沿って互いに揃えられていることを意味し、さらに、天板２がこの第１の軸８ａを中心として回転可能であることを意味している。同様に、天板２のフリーな第２の端部２ｂにある複数の接続点７ｂは、仮想の第２の軸８ｂに沿って互いに揃えられており、このことは、天板２もこの第２の軸８ｂを中心として回転可能であってもよいことを意味している。
【００２４】
図５は図１〜図４の手術台と同じ手術台１の側面図を示しているが、重い患者が天板２上に位置するときの少々誇張した図面である。天板２に沿って分布する大きな重さによって曲げ作用が生じ、天板２は図示されているように下に曲がる。水の上のフリーな端部が人の重さによって曲がるような、天板２が曲がるメカニズムは、トランポリン原理と対比することができる。天板２が曲げ力によって曲がるとき、レール４に曲げ力が伝わる。レール４の両端に位置する第１および第２の接続点７ａ,７ｂだけでレール４が天板に接続されていることにより、レール４は曲げ力の影響をあまり受けない。
【００２５】
しかし、各レール４は各側部の２つの接続点７ａ,７ｂだけで天板２に接続されているので、レール４は曲がった天板２による影響をほとんど受けず、レール４が引っかかることなくスライド手段６内を円滑に摺動することが可能になる。これにより、非常に円滑に長軸方向に移動して浮いた状態になることができる。
【００２６】
図６は、天板２が各側部の第１の接続点７ａだけでレール４に接続されている第２の実施形態の手術台を示している。天板２は、対応する接続点７ｂに結合可能なピンの上に載っている。その他の全ての点において、この第２の実施形態は、図１〜図５を参照して上述した第１の実施形態と同じであり、この第２の実施形態を理解するためにこれらの図面が参照される。
【００２７】
結局、本発明は、曲がった天板２からレール４への曲げ力が生じるのを抑え、それによって、スライド手段６を通るレール４の摺動を容易にする解決策を提供する。これにより、非常に円滑に長軸方向に移動して浮いた状態になることができる。
【００２８】
以上の説明および例を読むと、本発明の他の特徴および用途とそれらに伴う利点が当業者にとって明らかになるであろう。このように、天板とレールを相互接続するように設けられた接続手段は、患者の重さが天板の上部に圧力を加えているときに、天板が曲がった形状になることを可能にするあらゆる適切な手段であってよい。例えば、天板は、天板の長手方向に対して直角に延びるシャフトであって２本のレールに取付けられたシャフトを受けるようになっているブラケットを下方に備えていてもよい。
【図１】
2015512744.tif 000003
【図２】
2015512744.tif 000004
【図３】
2015512744.tif 000005
【図４】
2015512744.tif 000006
【図５】
2015512744.tif 000007
【図６】
2015512744.tif 000008
【国際調査報告】
2015512744.tif 000009
2015512744.tif 000010
2015512744.tif 000011